(57)【要約】【課題】施工時の組立作業性および配線作業性を良好にして腐食や金属疲労に伴う落下を防止する防止機能を向上させることができる照明器具を提供する。【解決手段】照明器具１０は、ランプ１２を収容した器具本体１１と、器具本体１１を支持する支柱１３と、器具本体１１および支柱１３に連結されるワイヤ１４と、を備え、ワイヤ１４は、支柱１３側の端部をリング状に形成し、支柱１３の内側においてワイヤ１４を係止させるための係止部１５を設けた。【選択図】図５
2010272233.tif 000002
【特許請求の範囲】
【請求項１】
ランプを収容した器具本体と、
前記器具本体を支持する支柱と、
前記器具本体および前記支柱に連結されるワイヤと、
を備えた照明器具において、
前記ワイヤは、前記支柱側の端部をリング状に形成し、
前記支柱の内側において前記ワイヤを係止させるための係止部を設けたことを特徴とする照明器具。
【請求項２】
前記係止部は、前記器具本体側に固定端を有し、その反対側が前記支柱の内面に接触もしくは近接していることを特徴とする請求項１に記載した照明器具。
【請求項３】
前記係止部は、前記ワイヤのリング状の一端を誘導する誘導部を有することを特徴とする請求項１または２に記載した照明器具。
【発明の詳細な説明】
【技術分野】
【０００１】
本発明は、例えば街路灯等の照明器具における腐食や金属疲労に伴う落下を防止する防止機能を有する照明器具に関する。
【背景技術】
【０００２】
街路灯や天井灯等の高所に取り付けられる照明器具においては、腐食や金属疲労に伴いランプを収容した器具本体が落下する虞が懸念される。
【０００３】
そこで、本発明者らは、取付ポールにボルトを固定し、そのボルトに落下防止用のワイヤを連結した照明器具を既に提案している（例えば特許文献１参照）。
【先行技術文献】
【特許文献】
【０００４】
【特許文献１】特開２００８−０２７７８３号公報（図２、請求項１）
【発明の概要】
【発明が解決しようとする課題】
【０００５】
ところが、上記特許文献１に開示された従来の照明器具では、ワイヤの一端のリング状部分をボルトに通しておく必要がある。
従って、施工時に、ワイヤに通したボルトを取付ポールにねじ固定する等の作業が必要になって施工時の組立作業性が良好ではない。
【０００６】
また、ボルトに通されたワイヤが勝手に移動しないとは言い難く、ワイヤがボルトの軸方向に勝手に移動した場合、配線を傷つける虞がある。
従って、施工時の配線作業性が良好ではない。
【０００７】
本発明は、前述した課題を解決するためになされたものであり、その目的は、施工時の組立作業性および配線作業性を良好にして腐食や金属疲労に伴う落下を防止する防止機能を向上させることができる照明器具を提供することにある。
【課題を解決するための手段】
【０００８】
本発明に係る照明器具は、ランプを収容した器具本体と、前記器具本体を支持する支柱と、前記器具本体および前記支柱に連結されるワイヤと、を備えた照明器具において、前記ワイヤは、前記支柱側の端部をリング状に形成し、前記支柱の内側において前記ワイヤを係止させるための係止部を設けたことを特徴とする。
【０００９】
本発明において、ワイヤを係止させるための係止部は支柱の内側に予め設けられる。
これにより、従来のもののように、施工時にワイヤに通した棒を支柱にボルト止めする等の作業を行う必要がない。
従って、施工時の組立作業性を良好にすることができる。
【００１０】
本発明において、係止部に係止されたワイヤは勝手に移動しない。
これにより、従来のもののように、ワイヤが勝手に移動して配線を傷つけることがない。
従って、施工時の配線作業性を良好にすることができる。
【００１１】
本発明に係る照明器具は、上記照明器具において、前記係止部は、前記器具本体側に固定端を有し、その反対側が前記支柱の内面に接触もしくは近接していることを特徴とする。
【００１２】
本発明においては、係止部の上部に有する固定端が支柱の上部に固定されている器具本体側に配置され、係止部の下部に位置する固定端の反対側が係止部を閉塞するように支柱の内面に接触もしくは近接している。
これにより、施工時にワイヤのリング状部分を係止部に引っ掛けるだけの極めて簡単な作業を行うことになる。
従って、施工時の組立作業性をさらに良好にすることができる。
【００１３】
本発明に係る照明器具は、上記照明器具において、前記係止部は、前記ワイヤのリング状の一端を誘導する誘導部を有することを特徴とする。
【００１４】
本発明においては、施工時にワイヤのリング状部分を係止部に引っ掛ける際に、係止部の誘導部を介して引っ掛け作業を行う。
これにより、ワイヤのリング状部分を支柱の下方から上方へ単純に引き上げるだけでワイヤを係止部に引っ掛けることができる。
従って、経験を必要とせずに極めて簡単に組立てを行うことができる。
【発明の効果】
【００１５】
本発明の照明器具によれば、ワイヤは、支柱側の端部をリング状に形成し、支柱の内側においてワイヤを係止させるための係止部を設けた。
これにより、施工時の組立作業性および配線作業性を良好にして腐食や金属疲労に伴う落下を防止する防止機能を向上させることができるという効果を有する。
【図面の簡単な説明】
【００１６】
【図１】本発明に係る一実施形態の照明器具の側面図
【図２】図１に示した照明器具の器具本体の側面図
【図３】図１に示した照明器具の支柱の一部破断垂直断面図
【図４】図１に示した照明器具の作用を説明する側面図
【図５】図４に示した照明器具の一部断面要部拡大図
【図６】本発明に係る一実施形態の照明器具に適用される係止部の変形例の一部破断垂直断面図
【発明を実施するための形態】
【００１７】
以下、本発明の一実施形態に係る照明器具について、図面を参照して説明する。
【００１８】
本発明の一実施形態である照明器具１０は、器具本体１１と、器具本体１１に収容されたランプ１２と、中空の支柱１３と、ワイヤ１４と、係止部１５と、を備える街路灯である。
【００１９】
図１、図２に示すように、器具本体１１は、成形材料である例えばアルミニウムダイカスト等を用いてお椀形状に形成されている。器具本体１１は、その表面に腐食防止のための塗装が施されている。
【００２０】
器具本体１１の上方、すなわち路面と反対側にはシェード１６が取り付けられている。シェード１６は透明や半透明の樹脂製である。照明器具１０はシェード１６と器具本体１１とにより球形状を形成している。
【００２１】
器具本体１１はソケット１７を内装しており、ソケット１７にランプ１２を装着している。ソケット１７には不図示の器具配線が電気的に接続されている。器具配線は支柱１３内を通じて外部の点灯回路に電気的に接続される。
【００２２】
支柱１３は、その基端部を地面Ｇに埋設しており、予め定められた高さの先端部に、器具本体１１に装備されている固定ボルト１８をねじ込むことにより器具本体１１を固定している。
【００２３】
ワイヤ１４は、大きな荷重に耐えられる例えば金属製のひも状部材であって比較的小さい線径を有する。ワイヤ１４は器具本体１１や支柱１３に腐食や金属疲労を生じる時期よりも十分に長い耐食特性を有する。
【００２４】
ワイヤ１４は、予め定められた長さ寸法を有して、その一端部１９を器具本体１１に結束しており、その他端部２０にリング状をなしてカシメ等により無端状に成形された輪形状部２１を形成している。
【００２５】
図３に示すように、支柱１３は、その上端寄りの内部に係止部１５を形成している。係止部１５は、機械構造用鋼材等を用いてＣ字形状に形成されている。
【００２６】
係止部１５は、器具本体１１側である上部の固定端に固定部２２を有し、その反対側の非固定端に開放部２３を有する。
【００２７】
係止部１５は、その固定部２２を支柱１２の内面２４の上端部側の所定位置に例えば溶接等の接合手段を用いて固定している。
【００２８】
そして、係止部１５は、その開放部２３を、係止部１５を閉塞するように支柱１３の内面２４に近接させている。開放部２３は支柱１３の内面２４に近接するのに代えて支柱１３の内面２４に接触するようにしても良い。
【００２９】
次に、照明器具１０の施工について説明する。
【００３０】
このような照明器具１０は、支柱１３の上端部の開放部からワイヤ１４を支柱１３内に落とし込み、ワイヤ１４の輪形状部２１を係止部１５の開放部２３から挿入して係止部１５に引っ掛ける。
これにより、従来のもののように、施工時にワイヤに通した棒を支柱にボルト止めする等の作業を行う必要がない。また、従来のもののように、ワイヤ１４は勝手に移動することがないので器具配線を傷つけることがない。
【００３１】
次に、ワイヤ１４を支柱１３内に入れたまま、器具本体１１を支柱１３の上端部に外嵌し、器具本体１１の固定ボルト１８をねじ込むことにより器具本体１１を支柱１３に固定する。
【００３２】
そして、支柱１３の下端部から引き出された器具配線を外部の点灯回路に電気的に接続し、支柱１３を地面Ｇに埋め込む。
【００３３】
次に、照明器具１０の作用について説明する。
【００３４】
このような照明器具１０は、外部の点灯回路から器具配線を通じてソケット１７内の端子に商用電流が供給されることによりランプ１２が点灯し、ランプ１２の光により地面Ｇの周辺を照射する。
【００３５】
長年の使用により器具本体１１や支柱１３に腐食や金属疲労を生じてきた場合、支柱１３は比較的大きな荷重の器具本体１１を支えきれなくなる。
【００３６】
図４、図５に示すように、長年の使用に伴い、万が一に、器具本体１１が支柱１３から外れてしまった場合、器具本体１１に連結されているワイヤ１４により、落下しようとする器具本体１１をぶら下げて保持する。このとき、ワイヤ１４は大きな荷重に耐えられる材料を用いて成形されていて器具本体１１や支柱１３に腐食や金属疲労を生じる時期よりも十分に長い耐食特性を有するために器具本体１１の荷重に耐える。
これにより、ワイヤ１４が器具本体１１をぶら下げて保持することにより器具本体１１の落下を防止する。
【００３７】
図６に示すように、本発明に係る一実施形態の照明器具１０に適用される係止部１５の変形例では、係止部１５の開放部２３に屈曲された誘導部２５を形成している。
【００３８】
誘導部２５は、ワイヤ１４の輪形状部２１を係止部１５に引っ掛ける際に、輪形状部２１を係止部１５内に誘導する機能を有する。
【００３９】
本発明の一実施形態の照明器具１０では、ワイヤ１４を係止させるための係止部１５が支柱１３の内面２４に予め設けられている。
これにより、従来のもののように、施工時にワイヤに通した棒を支柱にボルト止めする等の作業を行う必要がない。
従って、施工時の組立作業性を良好にすることができる。
【００４０】
本発明の一実施形態の照明器具１０では、係止部１５に係止されたワイヤ１４は勝手に移動しない。
これにより、従来のもののように、ワイヤが勝手に移動して配線を傷つけることがない。
従って、施工時の配線作業性を良好にすることができる。
【００４１】
本発明の一実施形態の照明器具１０では、係止部１５の上部に有する固定部２２が支柱１３の上部に固定されている器具本体１１側に配置され、係止部１５の下部に位置する開放部２３が係止部１５を閉塞するように支柱１３の内面２４に近接している。
これにより、施工時にワイヤ１４の輪形状部２１を係止部１５に引っ掛けるだけの極めて簡単な作業を行うことになる。
従って、施工時の組立作業性をさらに良好にすることができる。
【００４２】
本発明の一実施形態の照明器具１０では、施工時にワイヤ１４の輪形状部２１を係止部１５に引っ掛ける際に、係止部１５の誘導部２５を介して引っ掛け作業を行う。
これにより、ワイヤ１４の輪形状部２１を支柱１３の下方から上方へ単純に引き上げるだけでワイヤ１４を係止部１５に引っ掛けることができる。
従って、経験を必要とせずに極めて簡単に組立てを行うことができる。
【００４３】
なお、前記実施形態で使用した器具本体１１、ランプ１２、支柱１３等は例示したものに限定するものではなく適宜変更が可能である。
【符号の説明】
【００４４】
１０  照明器具
１１  器具本体
１２  ランプ
１３  支柱
１４  ワイヤ
１５  係止部
２５  誘導部
【図１】
2010272233.tif 000003
【図２】
2010272233.tif 000004
【図３】
2010272233.tif 000005
【図４】
2010272233.tif 000006
【図５】
2010272233.tif 000007
【図６】
2010272233.tif 000008